(57)【特許請求の範囲】
【請求項１】
少なくとも１つの走行部（４）がそれに沿って変位可能に取り付けられているレール（３）と、前記走行部（４）を終端位置へと動かすために、前記走行部（４）上に配置されている作動器（８、１０）に結合することができる、案内経路に沿って変位可能な駆動体（７）を有するリトラクタ（５）とを有する引き戸（６０）用取付具であって、
前記作動器（８、１０）は、前記走行部（４）のキャリア（４０）に対して、取り付け位置から、前記リトラクタの前記駆動体（７）への結合を実施することができる少なくとも１つの機能位置へと可動であり、前記作動器（８、１０）は、前記取り付け位置においては前記レール（３）に対する前記走行部（４）の取り付けを可能にするが、前記走行部（４）の機能位置においては、前記作動器（８、１０）上の止め具（１５、８５）によって前記レール（３）から浮き上らないよう固定されることを特徴とする
取付具。
【請求項２】
前記作動器（８、１０）は、前記リトラクタの前記駆動体（７）上の受容部と係合することができる突起（１４、８０）を有することを特徴とする
請求項１に記載の取付具。
【請求項３】
前記突起（１４、８０）は、前記レール（３）から浮き上がらないように、前記止め具（１５、８５）から離間して配置されることを特徴とする
請求項２に記載の取付具。
【請求項４】
前記作動器（８）又は、前記作動器（１０）は一体成型で製造されることを特徴とする
請求項１〜３のいずれか一項に記載の取付具。
【請求項５】
前記作動器（８、１０）は、前記取り付け位置および／または機能位置に掛け留めすることができることを特徴とする
請求項１〜４のいずれか一項に記載の取付具。
【請求項６】
前記作動器（８）は、前記走行部（４）の前記キャリア（４０）上に旋回可能であるように取り付けられることを特徴とする
請求項１〜５のいずれか一項に記載の取付具。
【請求項７】
前記作動器（８）は、前記作動器（８）上の第１の機能要素（８７、９３、１０３）と前記走行部（４）上の第２の機能要素（８２、９４）との、摩擦ロックされたおよび／または形状が適合する相互作用によって、前記取り付け位置および／または機能位置に掛け留めすることができることを特徴とする
請求項６に記載の取付具。
【請求項８】
前記作動器（８）は、少なくとも１つの止め具（８６）によって前記機能位置に規制されることを特徴とする
請求項１〜７のいずれか一項に記載の取付具。
【請求項９】
前記作動器（８）は、前記取り付け位置から開始して２つの異なる機能位置へと移動可能であることを特徴とする
請求項１〜８のいずれか一項に記載の取付具。
【請求項１０】
前記作動器（８）は、前記取り付け位置から開始して２つの異なる機能位置へと工具を用いることなく移動可能であることを特徴とする
請求項１〜９のいずれか一項に記載の取付具。
【請求項１１】
前記作動器（１０）は、前記走行部（４）の前記キャリア（４０）上に変位可能に取り付けられることを特徴とする
請求項１〜５のいずれか一項に記載の取付具。
【請求項１２】
前記リトラクタはダンパを有することを特徴とする
請求項１〜１１のいずれか一項に記載の取付具。
【発明の詳細な説明】
【技術分野】
【０００１】
本発明は、少なくとも１つの走行部がそれに沿って変位可能に取り付けられたレールと、走行部を終端位置へと動かすために、走行部上に配置されている作動器に結合することができ、案内経路に沿って変位可能な駆動体を有するリトラクタとを有する、引き戸用取付具に関する。
【背景技術】
【０００２】
特許文献１は、閉鎖補助具に結合することができ、作動器が走行部上に取り付けられている、引き戸用取付具を開示している。  
作動器は、この事例においてはローラキャリア上に掛け留めすることができる。  
したがって、作動器を、工具を用いることなくローラキャリア上に取り付ける事が可能である。
【０００３】
作動器が走行部上に設けられている引き戸用取付具が特許文献２に示されており、これはリトラクタと係合することができる。  
作動器は、この事例においては走行部上に調整可能に保持されており、それによって、許容誤差補償を単純に実施することができる。  
しかしながら、走行部には多数の部品が必要とされる。  
加えて、引き戸がレールから不意に浮き上がるのを防止するように、浮き上がり予防手段も通常、引き戸用取付具内に作動器とは別個に取り付けられる。  
それゆえ、引き戸用取付具の取り付け中、特に引き戸に左右の走行部が使用される場合、様々な部品が取り付けおよび位置整合されなければならない。
【先行技術文献】
【特許文献】
【０００４】
【特許文献１】独国実用新案第２０  ２００９  ０１４  ８８２号明細書
【特許文献２】独国特許出願公開第１０  ２０１１  ０５０  ３９４号明細書
【発明の概要】
【発明が解決しようとする課題】
【０００５】
それゆえ、本発明の目的は、単純に構築され、容易な取り付けを可能にする、引き戸用取付具を提供することである。
【０００６】
この目的は、請求項１の特徴を有する取付具によって達成される。
【０００７】
本発明によれば、作動器は、走行部のキャリアに対して、取り付け位置から、リトラクタの駆動体への結合を行うことができる少なくとも１つの機能位置へと可動であり、作動器は、取り付け位置においてはレールに対する走行部の取り付けを可能にするが、機能位置においては、作動器上の止め具によって走行部がレールから浮き上がらないよう固定する。  
このように、少なくとも走行部がレールから離れ得るほど走行部がレールから浮き上がることを防止する浮き上がり予防手段が、作動器によって提供される。  
浮き上がり予防手段の機能に加えて、作動器は、機能位置においてリトラクタに結合することができ、リトラクタは、作動器とともに引き戸を所定の終端位置へと動かす。  
リトラクタは、この事例においてはばねによって駆動体を終端位置に付勢することができ、任意選択的にリトラクタ上にダンパを設けることもできる。  
このように、引き戸用取付具は、より少ない部品で高度な機能を有することができる。
【０００８】
作動器は好ましくは、走行部のキャリア上に旋回可能に取り付けられる。  
代替的に、取り付け位置から機能位置へと、または、その逆の動きを実施することを可能にするために、走行部のキャリア上に変位可能に作動器を取り付けることが可能である。  
この事例において、旋回運動および／またはスライド運動は、各々工具を用いずに実施することができる。  
さらに引き戸を取り付けるより前に作動器を引き戸に取り付けて、持続的に取り付けられたままにする選択肢に加えて、引き戸家具の取り付け中およびまた取り外し中の両方でもそうすることが非常に有利である。
【０００９】
本発明の一実施形態において、作動器は、リトラクタの駆動体上の受容部と係合することができる突起を有する。  
突起は、走行部の板状キャリアから基本的に垂直に一方向に突出することができ、それによって、コンパクトな構造が得られる。  
さらに、突起は、走行部がレールから浮き上がらないように、止め具から離間して配置することができる。
【００１０】
少ない部品を使用して取付具を単純に製造するために、作動器は、特にプラスチックまたは金属から一体成型で製造することができる。  
プラスチック−軟質成分複合材、たとえば、プラスチック−ゴム複合材（Ｐ＆Ｒ複合材）が特に有利である。  
作動器はさらに、作動器が機能位置へと動いた後に不意に緩むのを防止するために、取り付け位置および／または機能位置に掛け留めすることができる。  
掛け留めは、この事例においては、摩擦ロックされたおよび／または形状が適合する機能要素によって実施され、これは、作動器および走行部上に間接的にまたは直接的に形成される。
【００１１】
作動器は好ましくは、取り付け位置から開始して２つの異なる機能位置へと移動可能である。  
したがって、左右の走行部、すなわち、引き戸の右側または左側に取り付けられる走行部を回避することができる。  
２つの構造的に同一の走行部を引き戸の右側および左側に取り付けることができ、これは、右部分であるかまたは左部分であるかにかかわらず、関連する機能位置へと作動器が動くことのみによって決定される。  
これによって、設置費が節約され、取り付けが単純になる。
【００１２】
特に強い制動力を与えることを可能にするために、各々のリトラクタと互いに相互作用する２つの作動器を走行部に設けることができる。  
リトラクタは、この事例においてはダンパを有することができ、それによって、本発明による取付具を使用して非常に重い引き戸を動かすこともできる。  
代替的に、第１の作動器が開放ダンパを作動させることができ、一方で、第２の作動器が閉鎖ダンパを作動させることができる。  
この事例において、複数の作動器およびダンパを一面に配置することができ、または、異なる面に配置することもできる。  
３つ以上の作動器およびリトラクタまたはダンパを備えることも想定される。
【００１３】
本発明は、以下において添付の図面を参照して、いくつかの例示的な実施形態に基づいてより詳細に説明される。
【図面の簡単な説明】
【００１４】
【図１】引き戸のための本発明による取付具を有する一個の家具の斜視図である。
【図２】図１の家具の側面図である。
【図３】修正された実施形態における図１の家具の側面図である。
【図４Ａ】作動器が図４Ｂとは異なる位置にある図２の取付具の図である。
【図４Ｂ】作動器が図４Ａとは異なる位置にある図２の取付具の図である。
【図５Ａ】図２の取付具の図である。
【図５Ｂ】図２の取付具の図である。
【図５Ｃ】図２の取付具の図である。
【図６Ａ】図５の取付具の図である。
【図６Ｂ】図５の取付具の図である。
【図６Ｃ】図５の取付具の図である。
【図６Ｄ】図５の取付具の図である。
【図７Ａ】修正された実施形態における図５の取付具の図である。
【図７Ｂ】修正された実施形態における図５の取付具の図である。
【図８Ａ】修正された実施形態における取付具の図である。
【図８Ｂ】修正された実施形態における取付具の図である。
【図８Ｃ】修正された実施形態における取付具の図である。
【図９Ａ】さらなる実施形態における取付具の図である。
【図９Ｂ】さらなる実施形態における取付具の図である。
【図９Ｃ】さらなる実施形態における取付具の図である。
【図９Ｄ】さらなる実施形態における取付具の図である。
【発明を実施するための形態】
【００１５】
キャビネットユニット１は、引き戸のための取付具の複数の走行部４を取り付けるための、レール３が固定されている家具本体２を備え、そのため、それらは変位可能である。  
走行部４は、各位置においてリトラクタ５と相互作用して、引き戸を終端位置に引き込むことができる。  
リトラクタ５はまた、開放方向または閉鎖方向において対応するダンパを設けることもできる。
【００１６】
図２は、取付具を側面図において示す。  
レール３が、上部水平脚部３０を使用して家具本体２の上部パネル２０に固定されている。  
ローラ９のための２つのＵ字状走路３１および３２がレール３上に形成されている。  
無論、レール３が、案内ローラ９のための１つのみの走路または３つ以上の走路を有することも可能である。
【００１７】
リトラクタ５は、家具本体２のレール３上に固定されるハウジング６を備える。  
変位可能駆動体７がハウジング６上に設けられており、これは、案内経路に沿って可動であり、開放し、閉鎖し、および／または走行部４上に固定されている作動器８に制動力を伝達する。  
走行部４は、この事例においては、引き戸の正面プレート６０の裏に固定されており、２つの離間された走行部４が正面プレート６０ごとに設けられている。  
走行部４の数および位置は、正面プレート６０の重量に応じて選択することができる。
【００１８】
図３は、取付具の修正された実施形態を示しており、図２に示す例示的な実施形態に加えて、駆動体７’が変位可能に取り付けられているハウジング６’を有するさらなるリトラクタ５’が設けられている。  
駆動体７’はこのとき、案内経路に沿って動くことができ、開始位置においてばねを介して付勢することができる。  
加えて、リトラクタ５’上にダンパを位置付けることもでき、それによって、正面プレート６０は、２つのリトラクタ５および５’を介して走行部４によって制動または加速することができる。  
それゆえ、特に正面プレート６０が重い場合に、より大きな引き込み力またはより大きな制動力を生成することができる。
【００１９】
図４Ａは、取り付け位置における図２の取付具を示す。  
作動器８は突起８０を備え、これは、正面プレート６０の面から実質的に垂直に突出しており、作動器は、取り付け位置において下向きに整列される。  
作動器８は、この事例においては軸８３を中心として回転可能であるように取り付けられ、正面プレート６０とともに走行部４の持ち上げを可能にする間隙Ｌが、上面８４とレール３の下側との間に存在する。  
間隙Ｌは、この事例においては、走路３２を画定する側壁３３の垂直部分よりも大きい。  
したがって、正面プレート６０を持ち上げ、側壁３３を超えて動かして、正面プレート６０を取り外すことによって、ローラ９を走路３２から吊り出すことができる。
【００２０】
図４Ｂは、機能位置における図４Ａの取付具を示す。  
作動器８は約９０°旋回されており、それによって、この時点で突起８０はもはや軸８３の下には位置しておらず、むしろ、軸８３と実質的に同じ高さにある。  
この位置において、作動器８の突起８０は、図２に示すように、リトラクタの駆動体７と係合することができる。  
作動器８を回転させることによって、止め具８５がさらにレール３の下に配置され、これはレール３に表面８４よりも近く配置されている。  
したがって、走路３２の下側と止め具８５との間に間隙８８がもたらされ、これは、レール３における側壁３３の高さよりも小さく、それゆえ、間隙Ｌよりも小さい。  
したがって、ローラ９が側壁３３を介して側方に取り外され得るところの、正面プレート６０の持ち上げが回避され、それによって、止め具８５が浮き上がり予防手段として使用される。
【００２１】
図５Ａ〜図５Ｃは、図２の取付具の走行部４を詳細に示す。  
走行部４は、板状キャリア４０を備え、その上にホルダ４１が取り付けられている。  
ホルダ４１と板状キャリア４０との間にローラ９が回転可能に取り付けられ、必要に応じて複数のローラ９をキャリア４０上に設けることもできる。  
図５Ａにおいては取り付け位置において示されている、回転可能に取り付けられた作動器８が、ローラ９の下に位置している。  
作動器８は、この取り付け位置から時計回りまたは反時計回りに交互に旋回されて、機能位置へと動かされ得る。  
図５Ｂにおいて、作動器８は右に旋回されており、それによって、この時点において、突起８０はキャリア４０の右側の駆動体と係合することができる。  
作動器８はこの事例においては、たとえば、突起部によって形成される、キャリア４０上の止め具８６まで旋回される。  
代替的に、作動器８は、図５Ｃに示すように、時計回りに９０°旋回させることもできる。  
作動器はこの時点において左に向けられており、突起８０はキャリア４０の左側に配置される。  
作動器８はこの事例においては、図５Ｂおよび図５Ｃにおける機能位置において掛け留めすることができ、それによって、安定した配置が保証される。  
これは、構造的に同一の走行部４を供給することができ、右部分であるかまたは左部分であるかどうかを取り付け中にのみ決定されるように、走行部４が右走行部であるかまたは左走行部であるかにかかわらず、作動器８を旋回させることによって確立される。
【００２２】
図６Ａ〜図６Ｄは、図５の取付具を詳細に示す。  
作動器８は、キノコ型ボルト８２またはリベットを挿入することができるアンダーカット受容部を備える。  
ボルト８２は、広くなっている頭部を備え、それによって、作動器８が板状キャリア４０から抜け落ちることを防止することができる。  
これによって、作動器８の安定性が増大し、中央軸８３に対する負荷が低減する。  
軸８３もまた、作動器８を取り付けるためにキノコ型ボルトまたはリベットとして形成することもでき、そのため、作動器はキャリア４０上で回転可能である。  
この事例においては、キノコ型ボルト８２は、対向する両側においてキャリア４０上に固定され、これらは、対応する受容部と、または、作動器８の回転運動にかかわりなく係合することができる。
【００２３】
図６Ｄは、突起部として形成され、作動器８のための止め具を形成する、板状キャリア４０上の止め具８６を詳細に示す。  
さらに、作動器８は、キノコ型ボルト８２を受け入れるためのチャネルを有することが見てとれる。  
作動器８を機能位置において掛け留め、不意に緩むのを防止するために、掛け留めばねウェブ８７をチャネル上に設けることができる。
【００２４】
図７Ａおよび図７Ｂは、基本的に図５および図６に示す取付具に対応する、取付具の修正された実施形態を示す。  
キノコ型ボルト８２の代わりに、開口９４がその上に形成されている直立タブ９２が、板状キャリア４０上に設けられている。  
作動器８は、キノコ型ボルト８２の代わりにタブ９２上に掛け留めることができ、キャッチナブ９３が、この目的のために開口９４内に係合する。  
それ以外は、取付具は先行する例示的な実施形態に対応する。
【００２５】
図８Ａ〜図８Ｃは、作動器８を当てることができる止め具８６が板状キャリア４０内に設けられている、取付具のさらなる実施形態を示す。  
作動器８は加えて、機能位置において板状キャリア４０を超えて突出しており、それによって、１つの端部１０３が、板状キャリア４０の前端を押圧する。  
したがって、作動器８の安定性をさらに増大することができる。  
それ以外は、走行部４は先行する例示的な実施形態に対応する。
【００２６】
図９Ａ〜図９Ｃは、本発明による取付具の走行部のさらなる例示的な実施形態を示す。  
走行部は、板状キャリア４０を備え、その上にローラ９が回転可能に取り付けられている。  
旋回可能作動器の代わりに、湾曲したガイドに沿って可動である変位可能作動器１０が設けられる。  
この目的のために、各々が案内経路１１において係合する２つのキノコ型ボルト１３が板状キャリア４０上に固定される。  
したがって、角度のついた区画１２を有する２つの案内経路１１が、作動器１０上に形成される。  
正面プレート６０の面から垂直に突出し、駆動体７上の受容部と係合することができる突起１４が、作動器１０上に形成される。
【００２７】
図９Ｄは、取り付け位置にある作動器１０を示す。  
この位置において、ローラ９は、上部パネル２０上のレール３上に懸架することができる。  
取り付けが実施されるとすぐに、作動器１０を、図９Ａに示す位置に達するまでキノコ型ボルト１３に沿って変位することができる。  
作動器１０は、作動器１０の止め具１５がローラ９の下に設けられ、それによって走行部の浮き上がりが防止されるように変位されている。  
この事例においては、作動器１０が機能位置から不意に緩むのを防止するために、ばね１６が作動器１０を下向きに押す。  
キノコ型ボルト１３は、ばね１６によって角度のついた終端区画１７にロックされて保持される。  
ロックされた終端区画１７は左の案内経路１１上のみに形成されているが、そのようなロックは右の案内経路１１上に設けることも可能である。  
走行部をレール３から吊り出す場合、作動器１０は、その後ローラ９を持ち上げ、ローラをレール３から吊り出すことを可能にするために、最初に案内経路１１に沿って再び動かされなければならない。
【００２８】
走行部４の板状キャリア４０は、例示的な実施形態においては、型押しされ曲げられた金属板から製造することができる。
【００２９】
図示されている例示的な実施形態において、作動器８は取り付けられ、そのためそれらは旋回可能または変位可能である。  
無論、作動器を取り付け位置から機能位置へと運ぶために動かすための他の機構を提供することも可能である。
【００３０】
加えて、取付具の使用分野は家具に制限されず、対応する引き戸またはスライド要素は、屋内電気器具または他の分野にも使用することができる。
【符号の説明】
【００３１】
１    キャビネット家具
２    家具本体
３    レール
４    走行部
５、５’    リトラクタ
６、６’    ハウジング
７、７’    駆動体
８    作動器
９    ローラ
１０    作動器
１１    案内経路
１２    区画
１３    ボルト
１４    突起
１５    止め具
１６    ばね
１７    端部区画
２０    上部パネル
２１    側壁
３０    脚部
３１    走路
３２    走路
３３    軸
４０    キャリア
４１    ホルダ
６０    正面プレート
８０    突起
８２    ボルト
８３    軸
８４    表面
８５    止め具
８６    止め具
８７    ばねウェブ
８８    間隙
９２    タブ
９３    キャッチナブ
９４    開口
１０３    端部
Ｌ    間隙
【図１】
0006586421.tif 000002
【図２】
0006586421.tif 000003
【図３】
0006586421.tif 000004
【図４Ａ】
0006586421.tif 000005
【図４Ｂ】
0006586421.tif 000006
【図５Ａ】
0006586421.tif 000007
【図５Ｂ】
0006586421.tif 000008
【図５Ｃ】
0006586421.tif 000009
【図６Ａ】
0006586421.tif 000010
【図６Ｂ】
0006586421.tif 000011
【図６Ｃ】
0006586421.tif 000012
【図６Ｄ】
0006586421.tif 000013
【図７Ａ】
0006586421.tif 000014
【図７Ｂ】
0006586421.tif 000015
【図８Ａ】
0006586421.tif 000016
【図８Ｂ】
0006586421.tif 000017
【図８Ｃ】
0006586421.tif 000018
【図９Ａ】
0006586421.tif 000019
【図９Ｂ】
0006586421.tif 000020
【図９Ｃ】
0006586421.tif 000021
【図９Ｄ】
0006586421.tif 000022